(57)【特許請求の範囲】
【請求項１】
被検眼を検査するための検査光学系を備える眼科装置において、被検者の顔部に当接する顔当接部と、該顔当接部に設けられた骨導音伝達用の振動子と、被検者に与える情報を骨導音として伝達すべく前記振動子を振動する制御手段と、を備えることを特徴とする眼科装置。
【請求項２】
請求項１の眼科装置において、前記検査光学系による検査を進行するためのプログラムであって被検者をガイドするガイド情報を含むプログラムを記憶する記憶手段を備え、前記制御手段は記憶されたプログラムに従い前記ガイド情報を骨導音として伝達すべく前記振動子の振動を制御することを特徴とする眼科装置。
【請求項３】
請求項１の眼科装置において、検者の音声を入力する音声入力手段を備え、前記制御手段は入力された音声を骨導音として伝達すべく前記振動子の振動を制御することを特徴とする眼科装置。
【請求項４】
請求項１の眼科装置は、被検者に与える音声情報を音声として発生する音声発生手段と、該音声発生手段による音声発生と振動子による骨導音の発生とを選択的に切換える切換手段と、を備えることを特徴とする眼科装置。
【発明の詳細な説明】
【０００１】
【発明の属する技術分野】
本発明は、被検眼を検査する眼科装置に関する。
【０００２】
【従来技術】
自動視力検査装置等の眼科装置では、被検者自身の操作により検査を可能とするために、検査に対する指示や装置の操作方法を説明する音声をスピーカーから発生させて伝達している。
【０００３】
また、他覚式眼屈折力測定装置等では検者が被検眼と装置とのアライメントを行った上で検査を行うが、開眼を行う旨や検査上の注意等の被検者への伝達は口頭で行っている。
【０００４】
【発明が解決しようとする課題】
しかしながら、集団検診等のように多くの人が集まる場所では周囲に雑音が多いため、スピーカーからの音声や検者の指示が聞き取り難い場合があり、検査をスムーズに行うことを妨げ、延いては正確な検査結果が得られない可能性がある。
【０００５】
また、聴覚に障害のある被検者の場合、読唇や手話等で検者とのコミュニケーションを取ることも可能であるが、被検者は装置を覗き込んで検査しているため、被検者に対して検者が指示を行う際には検査を一時中断する必要があり、被検者と検者の双方に負担が掛かる。
【０００６】
本発明は上記従来技術の問題点に鑑み、周囲に騒音が多い場所での使用においても被検者へ与える情報を的確に伝達することができ、また、聴覚障害者に対しても容易に指示を伝達することができる眼科装置を提供することを特徴とする。
【０００７】
【課題を解決するための手段】
上記課題を解決するために、本発明は以下のような構成を備えることを特徴とする。
【０００８】
（１）  被検眼を検査するための検査光学系を備える眼科装置において、被検者の顔部に当接する顔当接部と、該顔当接部に設けられた骨導音伝達用の振動子と、被検者に与える情報を骨導音として伝達すべく前記振動子を振動する制御手段と、を備えることを特徴とする。
（２）  （１）の眼科装置において、前記検査光学系による検査を進行するためのプログラムであって被検者をガイドするガイド情報を含むプログラムを記憶する記憶手段を備え、前記制御手段は記憶されたプログラムに従い前記ガイド情報を骨導音として伝達すべく前記振動子の振動を制御することを特徴とする。
（３）  （１）の眼科装置において、検者の音声を入力する音声入力手段を備え、前記制御手段は入力された音声を骨導音として伝達すべく前記振動子の振動を制御することを特徴とする。
（４）  （１）の眼科装置は、被検者に与える音声情報を音声として発生する音声発生手段と、該音声発生手段による音声発生と振動子による骨導音の発生とを選択的に切換える切換手段と、を備えることを特徴とする。
【００１５】
【発明の実施の形態】
本発明の実施形態を図面に基づいて説明する。図１は実施形態の視力検査装置の外観略図である。
【００１６】
装置本体１内には後述する検査光学系が収納され、被検者が検査窓２から装置内を覗き込み、検査光学系により呈示される検査視標を観察することで検査を行う。検査窓２の周囲にはヘッドレスト３が取り付けられており、ヘッドレスト３の前端部に被検者の額を当接することにより、被検者の顔が支持され、検査時における被検眼が固定される。被検者の額が当接するヘッドレスト３の前端部には振動子２５が設けられており、振動子２５の振動により被検者へ与える情報が骨導音として伝達される。振動子２５には磁石とコイルを用いたものや、圧電素子によるもの等、種々の振動素子が利用できる。
【００１７】
装置本体１の側面には、各種のスイッチや検査結果を表示する表示器を持つ操作パネル４が配置されている。４０は検査モードを選択するスイッチであり、検査モードとしては、音声ガイドに従って被検者が操作を行うことで検者（操作者）を必要とせず検査を行うことができる自動検査モードと、検者がスイッチを操作して検査を進める手動検査モードと、検査手順の指示や条件設定は装置が行い、被検者の応答のみを検者が入力する半自動検査モードが用意されている。
【００１８】
装置本体１の下部前側には被検者が操作する操作部５が設けられており、検査視標が判別できないときに使用する判別不能ボタン６、検査視標の方向を入力するためのジョイスティック７、検査開始のスタートボタン８（自動検査モード時）、音声ガイドの音量及び振動子２５の振動（骨導音の音量）を調節するための調整ツマミ９が配置されている。
【００１９】
図２は検査光学系要部及び制御系要部の概略構成図である。視標板１１には、４種類（上下左右に切れ目を持つ）のランドルト環視標が同心円上に配置されており、回転装置２１の回転により視標が選択される。照明光源１０により照明される視標板１１からの視標光束はプリズム１２によって反射し、レンズ群１３を通りミラー１４を反射してレンズ群１５に向かう。レンズ群１３、１５はアフォーカル系にするために配置されており、レンズ群１３からレンズ群１５間の距離はレンズ群１３の焦点距離とレンズ群１５の焦点距離との和となっている。
【００２０】
レンズ群１５を通過した光束はプリズム１６へ入射する。プリズム１６は入射された光束を左右に分け、ミラー１７Ｒとミラー１７Ｌ（紙面の裏側方向にあり、図では省略している）により視標光束をそれぞれ反射させて被検者の左右の被検眼へ入射させる。
【００２１】
また、プリズム１２は移動装置２２により移動され、光学的に被検眼と指標との距離を見かけ上５０ｍ〜２ｍまで変化させることができる。視標板１１上の視標は、被検眼と視標との光学距離が４８ｍのときに視力値１．６、３０ｍのときに視力値１．０、３ｍのときに視力値０．１となるように設計されている。
【００２２】
１８は検査窓２に配置された保護ガラスであり、ミラー１７Ｒ、１７Ｌに合せて左右に１つずつある。また、片眼検査を行う際には、保護ガラス１８の手前の光路上に図示無きシャッタが挿入されるようになっている。
【００２３】
２０は装置の制御部であり、操作パネル４、判別不能ボタン６、ジョイスティック７、音声入力装置２６、メモリ２８等が接続されている。制御部２０はこれらから入力される信号に応じて、照明光源１０、回転装置２１、移動装置２２、音声ガイド発生部２３、振動子２５等の作動を制御する。メモリ２８には自動検査モード時及び半自動検査モード時に自動的に検査を進めるための検査プログラムと、検査プログラムの進行時に被検者をガイドするための音声ガイド情報が記憶されている。
【００２４】
以上のような構成を持つ装置において、自動検査モードによる動作を中心に説明する。自動検査モードはスイッチ４０により設定しておく。
【００２５】
被検者はヘッドレスト３に額を当てて被検眼を固定し、検査窓２から装置内を覗き込んで検査の準備をした後、スタートスイッチ８を押すことで検査を開始する。スタートスイッチ８からのトリガ信号が入力されると、制御部２０はメモリ２８に記憶された自動検査のプログラムを読み出し、これに従って自動的に検査を進める。
【００２６】
まず、制御部２０は被検眼の位置（検眼窓）から検査視標の大きさが視力値０．１となる位置にプリズム１２を移動する。続いて、制御部２０は音声ガイド発生部２３を使用してスピーカー２４から被検者に対して音声による検査手順を説明し、視標（視力値０．１）が見えたらジョイスティック７を倒すよう指示する。被検者に対する音声ガイド情報はメモリ２８に記憶されているので、制御部２０は検査プログラムの進行に伴って必要な音声ガイド情報を取り出し、スピーカー２４から音声を発生させる。
【００２７】
このとき、制御部２０はスピーカー２４からの音声発生と同時に、音声ガイド情報を振動子２５の振動情報に変換し、変換した振動情報を基に振動子２５を振動する。音声ガイド情報は分かっているので、予め変換した振動情報をメモリ２８に記憶しておき、必要時に振動情報を取り出して振動子２５を振動させてもよい。
【００２８】
振動子２５の振動は被検者の額に伝わり、被検者の頭蓋を介して蝸牛周辺部（内耳）を振動させることで骨導音として音声情報が伝達される。蝸牛周辺部での骨振動はその振幅，周波数，波形に応じて様々な音声として認識されるので、振動子の振動を制御することで空気を介在することなく音声情報を伝達できる。このため、周囲の騒音等に影響されることなく指示等を伝達することができる。
【００２９】
さらに、外耳から中耳に掛けて聴覚障害のある被検者に対しても、頭蓋を介して障害のない内耳へ骨導音として振動を直接伝達することで、被検者は音声情報として認識することができる。
【００３０】
なお、上述の説明では、スピーカー２４での空気振動による音声ガイドと、振動子２５での骨導音による音声ガイドとを同時に行うものとしたが、被検者の状態や周囲の状況に応じて、どちらか一方のみに切換えても良い。この切り換えは操作パネル４に配置されたスイッチ４１（図１参照）により検者が予め設定しておく。スイッチ４１は操作部５側に設け、被検者が状況に応じて任意に切り換えるようにしてもよい。
【００３１】
また、スピーカー２４からの音声及び振動子２５による骨導音の音量調整が必要な場合は調整ツマミ９を調節する。制御部２０は調整ツマミ９からの信号に応じてスピーカー２４及び振動子２５を駆動制御する。
【００３２】
被検者が音声ガイド（骨導音によるものも含む）の指示に応じて、呈示された視力値０．１の検査視標の切れ目方向へジョイスティック７を倒すと、制御部２０は視力検査のプログラムを進行する。制御部２０は視標視力値が０．５になるようにプリズム１２を移動させ、スピーカー２４及び振動子２５からの音声情報により、視標方向が判別できたらジョイスティック７をその方向に倒すように指示する。また視標方向が判別できないときには判別不能ボタン６を押すように指示する。
【００３３】
被検者は視標の判別についてジョイスティック７若しくは判別不能ボタン６で応答する。ジョイスティック７を倒した方向が正しければ、制御部２０は視標視力値を一段階上げる（視力値０．６）。また、判別できない場合、若しくは間違っていた場合には視標視力値を一段階下げる（視力値０．４）。また、一段階上げて判別できなくなった場合には視力値を見えていた段階まで戻し、さらに視標方向を変えて検査を続ける。制御部２０は、同一視力値視標で２回以上正答があれば、その視力があるものとする。
【００３４】
このようにして視力値と視標の種類を変えながら検査を行い、同一視力値視標で３個中２個以上の正答が得られれば、スピーカー２４及び振動子２５より終了が伝えられ、図示なき印刷部より検査データが自動的にプリントアウトされる。
【００３５】
以上、自動検査モードについて説明したが、手動検査モード時においても被検者が口頭で与える情報を被検者に認識しやすくする場合には、骨導音による伝達を利用することができる。すなわち、被検者への指示はマイク等の音声入力装置２６から入力する。制御部２０は入力された音声情報を振動情報に変換して振動子２５を振動させることで、前述したように骨導音によって内耳まで振動を伝達する。これにより被検者は音声情報を容易に認識することができ、検査をスムーズに行うことができる。なお、手動検査モードにおいても、振動子２５による骨導音を使用するか否かをスイッチ４１により選択できる。
【００３６】
以上説明した実施形態では、視力検査装置を一例として挙げ、説明を行ったが、本発明は視力検査装置に限定されず、動体視力計、夜間視力計、眼底カメラ、他覚式眼屈折力測定装置、非接触式眼圧計、角膜形状測定装置等、種々の眼科装置に適用することができる。例えば、据え置きタイプの他覚式眼屈折力測定装置に本発明を適用した場合について、図３の構成模式図を基に説明する。
【００３７】
眼屈折力測定の検査光学系１０１ａが設けられた測定部１０１は台座１００に対して上下左右前後方向に移動可能なように本体部１０２に配置されている。台座１００には被検者の顔を支持する顔支持ユニット１０３が固設されており、被検者の顔は額当て部１０３ａと顎載台１０３ｂにより支持され、検査時における被検眼が固定される。被検者が額を当接する額当て部１０３ａの当接面には、先の例で説明したような骨導音伝達用の振動子１１０が設けられている。なお、振動子１１０は顔や頭部に当接する部分なら効率良く骨導音を伝達できるので、顎載台１０３ｂに設けても良い。
【００３８】
検者はジョイスティック１０４等を操作して測定部１０１を移動し、モニタ１０５に映し出される前眼部像を観察しながら検査光学系１０１ａをアライメントする。被検眼の開瞼状態が測定に不十分である場合には、検者はマイク１０６から眼を大きく開ける指示を口頭により入力する。その音声指示は、先の例と同じく、振動子１１０を振動させる情報に変換され、骨導音として被検者に伝達される。
【００３９】
なお、このような装置には開瞼状態を検出する光学系を設けることによって、装置が被検眼の開瞼状態を検出し、振動子１１０の振動を制御して被検者に開瞼を行う旨を自動的に報知することも可能である。
【００４０】
上述の本発明に関する説明では、被検者の顔を支持する顔支持部（ヘッドレスト）に振動子を設けが、被検者の顔（頭部も含む）に当接する部分に振動子を設ければ効率良く骨導音として情報を伝達できるので、装置筐体から配置的に分離させた構成としても良い。例えば、眼鏡の耳掛部のような部材に振動子を設け、これをヘッドバンド等で被検者の顔部に固定する。この場合、耳付近の側頭部に振動を与えるようにすることで、骨導音が伝わる距離が短くなり、被検者は比較的明瞭な音声情報として認識することができる。
【００４１】
【発明の効果】
以上説明したように本発明によれば、周囲に騒音が多い場所での使用においても、被検者へ与える情報を的確に伝達することができる。また、聴覚障害者に対しても容易に情報を伝達することができる。
【図面の簡単な説明】
【図１】実施形態の視力検査装置の外観略図である。
【図２】実施形態の装置の検査光学系要部及び制御系要部の概略構成図である。
【図３】変容例の眼科装置の構成模式図である。
【符号の説明】
１  本体部
３  ヘッドレスト
４  操作パネル
７  ジョイスティック
９  調整ツマミ
２０  制御部
２３  音声ガイド発生部
２４  スピーカー
２５  振動子
２６  音声入力装置
２８  メモリ
【図１】
0003667565.tif 000002
【図２】
0003667565.tif 000003
【図３】
0003667565.tif 000004